【手続補正書】
【提出日】平成24年11月2日(2012.11.2)
【手続補正１】
【補正対象書類名】明細書
【補正対象項目名】００１１
【補正方法】変更
【補正の内容】
【００１１】
厚み寸法における変化の出力を強化するために、少なくとも１つの不動態ポリマー層であって、該ポリマー層は、活性領域の活性が不動態層の厚み寸法を変化させる、電気活性ポリマーの片側の少なくとも１部分にわたって広がる。ある実施態様では、１以上の不動態層は、出力機構としての役割を、作動装置部分を形成し得る１以上の硬質構造へ機械的に結合し得る。パッシブ層は、活性および不活性領域の１部または全部にわたって広がり得るか、または不活性領域のみまたはその一部にわたって広がり得る。
【手続補正２】
【補正対象書類名】明細書
【補正対象項目名】００２２
【補正方法】変更
【補正の内容】
【００２２】
対称変換器の表面特徴の鉛直プロファイルおよび／または表面特徴の可視性を増幅するために、任意のパッシブ層を、該パッシブ層がＥＡＰフィルム表面面積の全部または一部を覆う場合、変換器フィルム構造の片側または両側に付加し得る。図１Ａおよび１Ｂの作動装置実施態様では、上部および下部の通過層１８ａ、１８ｂを、上部および下部に付加する。図１Ｂにおける参照番号２６ａ〜ｄにより示される通り、作動装置および誘電層１２の得られる表面特徴１７ａ〜ｄは、パッシブ層１８ａ、１８ｂの付加厚みにより増幅される。
【手続補正３】
【補正対象書類名】明細書
【補正対象項目名】００２３
【補正方法】変更
【補正の内容】
【００２３】
上昇したポリマー／パッシブ層表面特徴２６ａ〜ｄに加えて、ＥＡＰフィルム１２を、１つまたは両方の電極１６ａ、１６ｂが誘電層の厚み未満に押し下げられるように構成し得る。そのため、その押し下げられた電極またはその一部は、ＥＡＰフィルム１２の作動により電極表面特徴および誘電材料１４の得られる歪みを供する。電極１６ａ、１６ｃは、パターンが形成され得るか、またはポリマー表面特徴、電極表面特徴および／またはパッシブ層表面特徴を含み得るカスタマイズ化された変換器フィルム表面特徴を製造するために設計され得る。
【手続補正４】
【補正対象書類名】明細書
【補正対象項目名】００２４
【補正方法】変更
【補正の内容】
【００２４】
図１Ａおよび１Ｂの作動装置実施態様１０において、１以上の構造２０ａ、２０ｂが、柔軟パッシブスラブおよび硬質機械構造の間の作業を結合すること、および作動装置の作業出力を配向することを助けるのを提供する。ここでは、上部構造２０ａ（これは、プラットホーム、バー、レバー、ロッドなどの形態であり得る）は、出力部材として働くが、下部構造２０ｂは、作動装置１０を固定または剛性構造２２、例えば地面等へ結合する働きをする。これらの出力構造は、別個の成分である必要はないが、むしろ、作動装置を駆動させることを目的とする構造と統合されるかまたは一体化され得る。構造２０ａ、２０ｂはまた、パッシブ層１８ａ、１８ｂにより形成された表面特徴２６ａ〜ｄの周囲または形状を定義するように働く。図１Ｂに示される通り、例示の実施態様では、集団作動装置の積み重ねは、作動装置の不活性部分の厚みを増加させるが、作動により作動装置により受ける高さΔｈの純変化は消極的である。
【手続補正５】
【補正対象書類名】明細書
【補正対象項目名】００２６
【補正方法】変更
【補正の内容】
【００２６】
図２Ａは、本発明による二重ＥＡＰフィルム層３４を有する積層変換器３２を用いる例えば作動装置３０を示す。二重層には、上部および下部電極３４ｂ、３４ｃの間に挟まれた上部フィルム３４ａと、上部および下部電極３６ｂ、３６ｃの間に挟まれた下部フィルム３６ａを有する２つの誘電エラストマーフィルムが含まれる。導電性配線または層の組（一般に、「バスバー」と称される）を、付与して高電圧への電極と結合し、電源の側と設置する（後者は示されていない）。バスバーを、各ＥＡＰフィルムの「不活性」部分上（すなわち、上部および下部電極が重複しない位置）に配置する。上部および下部バスバー４２ａ、４２ｂをそれぞれ、誘電層３４ａの上部および下部上に配置し、上部および下部バスバー４４ａ、４４ｂをそれぞれ誘電層３６ａの上部および下部側に配置する。誘電体３４ａの上部電極３４ｂおよび誘電体３６ａの下部電極３６ｃ、すなわち２つの外側に面する電極は、バスバー４２ａおよび４４ａの相互結合により、６８ａ（図２Ｂに示される）を介して導電性エラストマーにより通常偏極し、その構造を、図３Ａ〜３Ｄについて以下により詳細に説明する。また、誘電体３４ａの底部電極３４ｃおよび誘電体３６ａの上部電極３６ｂ、すなわち２つの外側に面する電極は、バスバー４２ｂおよび４４ｂの相互結合により、６８ｂ（図２Ｂに示される）により導電性エラストマーにより通常偏極する。埋め込み材料６６ａ、６６ｂを用いて、６８ａ、６８ｂにより封止する。作動装置を操作する際、各電極対の反対電極を、電圧を適用する際に一緒に描画する。安全のために、接地電極を、高電圧電極に達する前に任意の貫通性物体を接地するように積層の外側に配置し得る。かくして、感電は排除される。２つのＥＡＰフィルム層をフィルムツーフィルム接着剤４０ｂにより一緒に接着し得る。接着層は必要に応じて、性能を強化するパッシブまたはスラブ層が含まれ得る。上部パッシブ層またはスラブ５０ａおよび下部パッシブ層５２ｂを、接着層４０ａにより、および接着層４０ｃにより変換器構造へ接着する。出力バー４６ａ、４６ｂをそれぞれ、接着層４８ａ、４８ｂにより上部および下部パッシブ層へ丁重に結合し得る。
【手続補正６】
【補正対象書類名】明細書
【補正対象項目名】００３２
【補正方法】変更
【補正の内容】
【００３２】
図５は、本発明の変換器内の導電性ビアを付与する他の方法を示す。変換器１００は、パッシブポリマー層１１０ａ、１１０ｂの間に順に挟まれている電極１０６ａ、１０６ｂ間に挟まれた位置を有する誘電層１０４を含む誘電体フィルムを有する。導電性バスバー１０８を、ＥＡＰフィルムの不活性領域上に付与する。貫通性位置を有する導電性接点１１４は、手動でまたは別の方法で、変換器の片側により、バスバー１０８を貫通する深さへ駆動する。導電性配線１１６を、貫通性接点１１４の露出端からＰＣＢ／柔軟性コネクター１１２に沿って伸長する。
【手続補正７】
【補正対象書類名】明細書
【補正対象項目名】００３５
【補正方法】変更
【補正の内容】
【００３５】
ボタン作動装置は、単一入力または接触表面の形態であり得、または複数の接触表面を有するアレイ形式に提供し得る。アレイの形態で構築される場合、図６Ａのボタン変換器は、図７に示されるキーパッド１３０における使用のために、種々のユーザーインターフェースデバイス、例えばコンピューターキーボード、電話、計算機等のために望ましい。変換器アレイ１３２には、所望の活性および不活性部分を有する図６Ａの集中変換器パターンを製造するために、内部接続電極パターンの上部アレイ１３６ａおよび互いに向かい合った２つのアレイを有する電極パターンのボタンアレイ１３６ｂ（薄く示される）が含まれる。キーボード構造は、変換器アレイ１３２の上にパッシブ層１３４の形態であり得る。変換器層１３４はそれ自体、表面特徴、例えばキーボーダー１３８等を有し得、これは、活性状態にされて、各キーパッドでユーザーが、指を触覚的に整列し得、および／または個々のキーパッドで活性化により各ボタンの周辺の膨らみをさらに増幅し得る。キーが押される場合、キーボードの下にある各変換器は、上記の厚みモード膨らみを生じさせながら、活性化されて、触感をユーザーへ再び与える。多くの変換器は、この方法により提供され得、間隔を介して、用いるキーパッド１３４の種類およびサイズを適合させる。このような変換器アレイのための製造技術の例は、２００８年６月２７に提出された、ＥＬＥＣＴＲＯＡＣＴＩＶＥ  ＰＯＬＹＭＥＲ  ＴＲＡＮＳＤＵＣＥＲＳ  ＦＯＲ  ＳＥＮＳＯＲＹ  ＦＥＥＤＢＡＣＫ  ＡＰＰＬＩＣＡＴＩＯＮＳと題された米国特許出願第１２／１６３５５４に開示される（参照によりここにその全体を組み込む）。
【手続補正８】
【補正対象書類名】明細書
【補正対象項目名】００３８
【補正方法】変更
【補正の内容】
【００３８】
図１０は、変換器１６０が誘電材料１６２のストリップにより形成され、該ストリップが長方形パターンに配置されたストリップの反対側上に上部および下部電極１６４ａ、１６４ｂを有し、これにより開放領域１６５を構成する、対象変換器の他の変形を示す。電気バス１６６ａ、１６６ｂにおける電極末端のそれぞれは、電源および制御装置（いずれも示されていない）へ結合するための電気接地点１６８ａ、１６８ｂを有する。封止領域１６５にわたって広がるパッシブ層（示されていない）は、変換器フィルムのいずれの側にも用い得、これにより、ガスケット配置を、環境保護および出力バーの機械結合（示されていない）のために形成する。構成される通り、変換器の活性は、変換器ストリップの周辺１６９の内側および外側に沿った表面特徴および活性領域１６４ａ、１６４ｂの厚みの減少を生じさせる。必要なガスケット作動装置は、連続的ではなく、単一装置であることに注意すべきである。１以上の分離した作動装置を用いて、非活性適合ガスケット材料で必要に応じて封止され得る領域の周辺を配線することもできる。
【手続補正９】
【補正対象書類名】明細書
【補正対象項目名】００４０
【補正方法】変更
【補正の内容】
【００４０】
図１１Ａ〜１１Ｄは、本発明の厚みモード作動装置の変形を用いるタッチスクリーンの断面図であり、同様の参照番号が、４つの図の中で同様の成分を参照する。図１１Ａを参照すれば、タッチスクリーンデバイス１７０は、通常ガラスまたはプラスチック材料、必要に応じて液晶ディスプレイ（ＬＣＤ）１７２で作られたタッチセンサープレート１７４ を含み得る。その２つは、一緒に積層され、その間に開放領域１７６を規定するＥＡＰ厚みモード作動装置１８０により分かれて配置される。集団積層構造は、フレーム１７８により一緒に保持される。作動装置１８０には、電極対１８４ａ、１８４ｂにより 中央に挟まれた誘電フィルム層１８２により形成された変換器フィルムが含まれる。変換器フィルムは、順に、上部および下部パッシブ層１８６ａ、１８６ｂの間に挟まれ、タッチプレーと１７４およびＬＣＤ１７２にそれぞれ機械的に結合する出力構造１８８ａ、１８８ｂの間にさらに保持される。図１１Ａの右側は、作動装置が不活性の場合のＬＣＤおよびタッチプレートのそれぞれの位置を示すが、図１１Ａの左側は、作動装置が活性、すなわちユーザーが矢印１７５の芳香にタッチプレーと１７４を押し下げた場合のそれぞれの成分の位置を示す。図の左側から明らかであるように、作動装置１８０が活性化される場合、電極１８４ａ、１８４ｂは一緒に引っ張られ、その間の誘電フィルム１８２の一部を、活性領域の外側の誘電材料およびパッシブ層１８６ａ、１８６ｂにおける表面特徴を生じさせながら圧縮し、これにより、表面特徴が出力ブロック１８８ａ、１８８ｂにより生じる圧縮力によりさらに強化される。このように、表面特徴は、矢印１７５の反対の方向にタッチプレート１７４上に軽微な力を与え、これは、タッチプレートの押し下げに応じて触感をユーザーに与える。
【手続補正１０】
【補正対象書類名】明細書
【補正対象項目名】００４９
【補正方法】変更
【補正の内容】
【００４９】
図１５Ｂは、ダイアフラムおよび図１５Ａのぜん動ポンプの上部出力構造が排除された単純化設計での他のぜん動ポンプ３３０を示す。このように、作動装置３１８の上部パッシブ層３２４は、前のダイアフラム３１６の機能を有し、流体は、パッシブ層および上部カバーまたは３１２ｂの間の空間３２６を通過する。
【手続補正１１】
【補正対象書類名】明細書
【補正対象項目名】００５２
【補正方法】変更
【補正の内容】
【００５２】
これまでに記載した変換器／作動装置実施態様は、ＥＡＰ変換器フィルムの活性領域（すなわち、重複電極を含む領域）および不活性領域に結合したパッシブ層を有する。変換器／作動装置は、硬質出力構造を用いる場合、その構造は、活性領域より上に存在するパッシブ層の領域を越えて配置される。さらに、これらの実施態様の活性／活性可能領域は主として、不活性領域に関連して配置されている。本発明はまた、他の変換器／作動装置配置を含む。例えば、パッシブ層は、活性領域のみまたは不活性領域のみを覆い得る。さらに、ＥＡＰフィルムの不活性領域は、活性領域に主に配置され得る。
【手続補正１２】
【補正対象書類名】明細書
【補正対象項目名】００５３
【補正方法】変更
【補正の内容】
【００５３】
図１８Ａおよび１８Ｂは、不活性領域が、活性領域に対して内部にまたは中央に配置される上記の変形を示し、すなわち、ＥＡＰフィルムの中央部分は、重複電極を欠いている。厚みモード作動装置３６０は、電極層３６４ａ、３５４ｂの間に挟まれた誘電層３６２を含むＥＡＰ変換器フィルムを含み、フィルムの中央部分３６５は、不活性であり、電極材料を有さない。ＥＡＰフィルムは、カートリッジ配置を集合的に付与する少なくとも１つの上部および下部フレーム部材３６６ａ、３６６ｂにより緊張または伸長条件において保持される。フィルムのパッシブ部分３６５の上部および下部側の少なくとも１つを覆うことは、光学硬質制限またはそこに配置された出力部材３７０ａ、３７０ｂを有するパッシブ層３６８ａ、３６８ｂである。ＥＡＰフィルムをその周辺でフレーム３６６により制限し、活性化する場合（図１８Ｂ参照）、ＥＡＰフィルムの圧縮は、３６７ａ、３６７ｂにより示されるように、上記の作動装置実施態様として、フィルム材料を外側よりむしろ内側に退縮させる。圧縮ＥＡＰフィルムは、その直径を減らし、その高さを増やすパッシブ材料３６８ａ、３６８ｂ上で作用する。この配置における変化は、出力部材３７０ａ、力を３７０ｂ上で外側へ適用する。上記の作動装置態様として、受動的に結合したフィルム作動装置を、積層または平面関係において多重に付与して、多相作動を提供し、および／または作動装置の出力および／またはストロークを増加させる。
【手続補正１３】
【補正対象書類名】明細書
【補正対象項目名】００５４
【補正方法】変更
【補正の内容】
【００５４】
性能は、誘電フィルムおよび／またはパッシブ材料を予備緊張することにより強化し得る。作動装置は、キーまたはボタン装置として用い、センサーデバイス、例えば膜スイッチなどにより積層または一体化し得る。ボタン出力部材またはボタン電極は、 回路を完成させるのに十分な圧力を膜スイッチに供給するために用いてよく、またはボタン出力部材が導電性層を有する場合、回路を直接完成させてよい。多重作動装置は、キーパッドまたはキーボードなどの用途のためのアレイに用いることができる。
【手続補正１４】
【補正対象書類名】明細書
【補正対象項目名】００５７
【補正方法】変更
【補正の内容】
【００５７】
対象変換器に用いるためのパッシブ層材料の例として、これらに限定されないが、シリコーン、スチレンまたはオレフィンコポリマー、ポリウレタン、アクレート、ゴム、軟質ポリマー、軟質エラストマー（ゲル）、軟質ポリマーフォーム、または歩リアｍ−／ゲル混合物が挙げられる。パッシブ層および誘電層の関係のある弾性および厚みは、所望の出力（例えば目的とされる表面特徴のネット厚みまたは薄さ）を達成するために選択され、出力応答は、線形であるか（例えばパッシブ層厚みが、活性化される場合に誘電層の厚みに比例して強化される）、または非線形である（例えばパッシブおよび誘電層が、さまざまな速度でより薄くまたはより厚くなる）。
【手続補正１５】
【補正対象書類名】明細書
【補正対象項目名】００６１
【補正方法】変更
【補正の内容】
【００６１】
全体で、本発明の広さは、与えられる実施例により制限されることはない。以下のように特許請求する。
本発明の好ましい態様は、以下を包含する。
［１］  薄い誘電エラストマー層を含む電気活性ポリマーフィルムであって、該誘電エラストマー層の一部が、第１電極および第２電極の間に挟まれ、電極の重複部分が、活性フィルム領域を定義し、フィルムの残りの部分が不活性フィルム領域を定義する電気活性ポリマーフィルム、
活性フィルム領域の少なくとも一部上に配置され、第１電極に電気的に結合された第１導電性層、および不活性フィルム領域の少なくとも一部上に配置され、第２電極へ電気的に結合された第２導電性層、および
少なくとも１つのパッシブポリマー層であって、該ポリマー層は、電気活性ポリマーフィルムの１つの側の少なくとも一部上に広がり、活性領域の活性化は、パッシブポリマー層の厚み寸法を変化させるパッシブポリマー層
を含む、変換器。
［２］  第１電極を含む位置にて変換器により広がる第１導電性ビア、および第２電極を含む位置にて変換器により広がる第２導電性ビアをさらに含む［１］に記載の変換器。
［３］  パッシブポリマー層に取り付けられる少なくとも１つの硬質出力構造をさらに含む、［１］に記載の変換器。
［４］  各パッシブポリマー層に取り付けられる硬質出力構造をさらに含む、［３］に記載の変換器。
［５］  ２つのパッシブポリマー層を、電気活性ポリマーフィルムの両側に含む、［１］に記載の変換器。
［６］  変換器は、触覚フィードバックを供給するために用いられる、［１］に記載の変換器。
［７］  触覚フィードバックは、タッチスクリーンデバイス、タッチパネル、ボタン、キーまたはポインティングデバイスに付与される、［６］に記載の変換器。
［８］  変換器は、バルブ機構の開放および閉鎖を制御する、［１］に記載の変換器。
［９］  変換器は、チャンバーによる流体の流れを制御する、［１］に記載の変換器。
［１０］  変換器は、線形ブレーキ系を制御する、［１］に記載の変換器。
［１１］  変換器は、回転ブレーキ系を制御する、［１］に記載の変換器。
［１２］  活性領域は、不活性領域の中央にある、［１］に記載の変換器。
［１３］  パッシブ層は、活性領域および不活性領域上に広がる、［１２］に記載の変換器。
［１４］  変換器は、触覚フィードバックを提供するために用いられる、［１２］に記載の変換器。
［１５］  不活性領域は、活性領域の中心にある、［１］に記載の変換器。
［１６］  変換器は、触覚フィードバックを提供するために用いられる、［１２］に記載の変換器。
［１７］  パッシブ層は、不活性領域上にのみ広がる、［１５］に記載の変換器。
［１８］  電気活性ポリマーフィルムの少なくとも２つの積み重なった層であって、該電気活性ポリマーフィルムが薄い誘電エラストマー層を含み、誘電エラストマー層の一部が、第１電極および第２電極の間に挟まれ、電極の重複部分が、活性フィルム領域を定義し、フィルムの残りの部分が不活性フィルム領域を定義し、電気活性ポリマーフィルムの各層の活性フィルム領域が、積層配置にあり、および電気活性ポリマーフィルムの各層の活性フィルム領域が積層配置にある層、および
各電気活性ポリマーフィルムの不活性フィルム領域の少なくとも１部上に配置され、および第１電極へ電気的に結合された第１導電性層、および各電気活性ポリマーフィルムの不活性フィルム領域の少なくとも１部上に配置され、第２電極へ電気的に結合された第２導線性層
を含む、変換器アセンブリ。
［１９］  電気活性ポリマーフィルムの各露出側上にパッシブポリマー層をさらに含み、活性領域の活性は、パッシブポリマー層の厚み寸法を変化させる、［１８］に記載の変換器アセンブリ。
［２０］  第１電極を含む位置にて積層電気活性ポリマーフィルムにより広がる第１導電性ビア、および第２電極を含む位置にて積層電気活性ポリマーフィルムにより広がる第２導電性ビアをさらに含む、［１８］に記載の変換器アセンブリ。
［２１］  電気活性ポリマーフィルムの少なくとも２つの積み重なった層であって、該電気活性ポリマーフィルムが薄い誘電エラストマー層を含み、誘電エラストマー層の一部が、第１電極および第２電極の間に挟まれ、電極の重複部分が、活性フィルム領域を定義し、フィルムの残りの部分が不活性フィルム領域を定義し、電気活性ポリマーフィルムの各層の活性フィルム領域が、積層配置にあり、および電気活性ポリマーフィルムの各層の活性フィルム領域が積層配置にある層、各電気活性ポリマーフィルムの不活性フィルム領域の少なくとも１部上に配置され、および第１電極へ電気的に結合された第１導電性層、および各電気活性ポリマーフィルムの不活性フィルム領域の少なくとも１部上に配置され、第２電極へ電気的に結合された第２導電性層、および少なくとも１つのパッシブポリマー層であって、該ポリマー層が、電気活性ポリマーフィルムの１つの側の少なくとも一部上に広がり、活性領域の活性化は、パッシブポリマー層の厚み寸法を変化させる層
を含む変換器を供給する工程、および
第１および第２導電性層をそれぞれ含む位置にて電気活性変換器により第１および第２ビアを形成する工程であって、該ビアに、少なくとも導電性層までの深さにまで穴を開ける工程、および
導電性物質でビアを充填する工程であって、該ビアを電源に電気的に結合する工程
を含む、変換器の製造方法。
［２２］  充填ビアを非導電性物質により埋め込む工程をさらに含む、［２１］に記載の方法。
［２３］  非導電性テープを充填ビア上に取り付ける工程をさらに含む、［２１］に記載の方法。
［２４］  変換器を電源に結合した電気配線へ配置する工程をさらに含み、該ビアに、変換器の全厚みを通過して穴を開ける、［２１］に記載の方法。
［２５］  導電性リード線を導電性物質中へ挿入する工程をさらに含む、［２１］に記載の方法。
［２６］  ビアを形成する工程は、ドリル法、押し抜き法、成形法、貫通法およびコアリング法により電気活性変換器に穴を開ける工程を含む、［２１］に記載の方法。
［２７］  薄い誘電エラストマー層を含む電気活性ポリマーフィルムであって、誘電エラストマー層の一部が、第１電極および第２電極の間に挟まれ、電極の重複部分が、活性フィルム領域を定義し、フィルムの残りの部分が不活性フィルム領域を定義する電気活性ポリマーフィルム；各電気活性ポリマーフィルムの不活性フィルム領域の少なくとも１部分上に配置され、および第１電極へ電気的に結合された第１導電性層、および各電気活性ポリマーフィルムの不活性フィルム領域の少なくとも１部分上に配置され、第２電極へ電気的に結合された第２導電性層；および少なくとも１つのパッシブポリマー層であって、該ポリマー層が、電気活性ポリマーフィルムの片側上に広がり、活性領域の活性化は、パッシブポリマー層の厚み寸法を変化させる層
を含む変換器を供給する工程、および
貫通性位置を有する第１および第２導電性接点をそれぞれ、第１および第２導電性層を含む位置で変換器により、導電性層を貫通する深さへ駆動する工程
を含んでなる、変換器の製造方法。
［２８］  変換器を、電源へ結合した電気配線へ取り付ける工程をさらに含み、導電性接点の露出端を電源へ電気的に結合する、［２７］に記載の方法。
［２９］  誘電エラストマー層の一部が、第１電極および第２電極の間に挟まれ、電極それぞれが、互いに並置した対称配線パターンを含み、電極同格の領域が、活性であり、残りの領域が不活性であり、活性領域の活性化は、不活性領域の厚み寸法を増加させる、薄い誘電エラストマー層を含む電気活性ポリマーフィルム
を含む、変換器。
［３０］  各配線パターンは、実質的に平行で、間隔を介する複数の配線を含む、［２９］に記載の変換器。
［３１］  複数の配線は、同心パターンを形成する、［３０］に記載の変換器。
［３２］  電極パターンは、ボタン作動装置に用いるための大きさである、［３１］に記載の変換器。
［３３］  複数の配線は、新規な形状を形成する、［２９］に記載の変換器。
［３４］  変換器は、ストリップ配置を有する、［２９］に記載の変換器。
［３５］  変換器ストリップは、電気活性ポリマーフィルムの連続ストリップから単一化される、［３４］に記載の変換器。
［３６］  電極パターンは、ストリップに沿って連続的である、［３５］に記載の変換器。
［３７］  電極パターンは、不連続であり、およびストリップに沿って繰り返される、［３５］に記載の変換器。
［３８］  変換器ストリップは、開放空間を構成する、［３４］に記載の変換器。
［３９］  変換器は、ガスケット型作動装置を形成する、［３８］に記載の変換器。
［４０］  ガスケット型作動装置は、タッチスクリーンデバイスを作動するのに用いられる、［３９］に記載の変換器。
［４１］  ［３２］に記載の変換器のアレイ、および
該変換器のアレイ上に配置される少なくとも１つのユーザー接触表面
を含む触覚フィードバックを供給する、ユーザーインターフェースデバイス。
［４２］  ユーザーインターフェースデバイスは、キーパッドまたはキーボードである、［４１］に記載のユーザーインターフェースデバイス。
［４３］  ［１７］に記載の変換器のアレイ、および
該変換器のアレイ上に配置される少なくとも１つのユーザー接触表面
を含む触覚フィードバックを供給する、ユーザーインターフェースデバイス。
［４４］  ユーザーインターフェースデバイスは、キーパッドまたはキーボードである、［４３］に記載のユーザーインターフェースデバイス。
【手続補正１６】
【補正対象書類名】特許請求の範囲
【補正対象項目名】全文
【補正方法】変更
【補正の内容】
【特許請求の範囲】
【請求項１】
薄い誘電エラストマー層を含む電気活性ポリマーフィルムであって、該誘電エラストマー層の一部が、第１電極および第２電極の間に挟まれ、電極の重複部分が、活性フィルム領域を定義し、フィルムの残りの部分が不活性フィルム領域を定義する電気活性ポリマーフィルム、
活性フィルム領域の少なくとも一部上に配置され、第１電極に電気的に結合された第１導電性層、および不活性フィルム領域の少なくとも一部上に配置され、第２電極へ電気的に結合された第２導電性層、および
少なくとも１つのパッシブポリマー層であって、該ポリマー層は、電気活性ポリマーフィルムの１つの側の少なくとも一部上に広がり、活性領域の活性化は、パッシブポリマー層の厚み寸法を変化させるパッシブポリマー層
を含む、変換器。
【請求項２】
第１電極を含む位置にて変換器により広がる第１導電性ビア、および第２電極を含む位置にて変換器により広がる第２導電性ビアをさらに含む請求項１に記載の変換器。
【請求項３】
パッシブポリマー層に取り付けられる少なくとも１つの硬質出力構造をさらに含む、請求項１に記載の変換器。
【請求項４】
各パッシブポリマー層に取り付けられる硬質出力構造をさらに含む、請求項３に記載の変換器。
【請求項５】
２つのパッシブポリマー層を、電気活性ポリマーフィルムの両側に含む、請求項１に記載の変換器。
【請求項６】
変換器は、触覚フィードバックを供給するために用いられる、請求項１に記載の変換器。
【請求項７】
触覚フィードバックは、タッチスクリーンデバイス、タッチパネル、ボタン、キーまたはポインティングデバイスに付与される、請求項６に記載の変換器。
【請求項８】
活性領域は、不活性領域の中央にある、請求項１に記載の変換器。
【請求項９】
パッシブ層は、活性領域および不活性領域上に広がる、請求項８に記載の変換器。
【請求項１０】
不活性領域は、活性領域の中心にある、請求項１に記載の変換器。
【請求項１１】
電気活性ポリマーフィルムの少なくとも２つの積み重なった層であって、該電気活性ポリマーフィルムが薄い誘電エラストマー層を含み、誘電エラストマー層の一部が、第１電極および第２電極の間に挟まれ、電極の重複部分が、活性フィルム領域を定義し、フィルムの残りの部分が不活性フィルム領域を定義し、電気活性ポリマーフィルムの各層の活性フィルム領域が、積層配置にあり、および電気活性ポリマーフィルムの各層の活性フィルム領域が積層配置にある層、各電気活性ポリマーフィルムの不活性フィルム領域の少なくとも１部上に配置され、および第１電極へ電気的に結合された第１導電性層、および各電気活性ポリマーフィルムの不活性フィルム領域の少なくとも１部上に配置され、第２電極へ電気的に結合された第２導電性層、および少なくとも１つのパッシブポリマー層であって、該ポリマー層が、電気活性ポリマーフィルムの１つの側の少なくとも一部上に広がり、活性領域の活性化は、パッシブポリマー層の厚み寸法を変化させる層
を含む変換器を供給する工程、および
第１および第２導電性層をそれぞれ含む位置にて電気活性変換器により第１および第２ビアを形成する工程であって、該ビアに、少なくとも導電性層までの深さにまで穴を開ける工程、および
導電性物質でビアを充填する工程であって、該ビアを電源に電気的に結合する工程
を含む、変換器の製造方法。
【請求項１２】
充填ビアを非導電性物質により埋め込む工程をさらに含む、請求項１１に記載の方法。
【請求項１３】
非導電性テープを充填ビア上に取り付ける工程をさらに含む、請求項１１に記載の方法。
【請求項１４】
導電性リード線を導電性物質中へ挿入する工程をさらに含む、請求項１１に記載の方法。